(57)【要約】 【課題】ペットの散歩に際して、不快感を感じることなく糞の処理を衛生的で容易にでき、散歩を手軽に楽しめるペット用糞回収具を提供する。【解決手段】枠状体と該枠状体に平行して上下移動するスライド体と該スライド体に設けた係止具を備えた回収具本体を糞収納袋に挿入し、ペットの尻下に挿し入れ、糞が地面に落下する前に採糞を行い、その後にスライド体の移動と袋体底部に設けた帯状つまみを引くことで糞収納袋を裏返して糞収納袋の内部への糞の収納を可能とするペット用糞回収具を実現する。【選択図】  図４
2005087038.tif 000002
【特許請求の範囲】
【請求項１】
ペットの糞を受取るに十分な面積と強度を有する枠状体と、該枠状体の両側部の枠に平行して前後移動できるスライド体と、該スライド体に袋の開口縁を脱着可能に固定する為に設けた係止具とを有した回収具本体を、該回収具本体よりも大きく上端を開口した柔軟性と十分な強度を有した糞収納袋に挿入することで、前記回収具本体の周囲に糞収納袋を装着し、該糞収納袋の側面部を糞の受取り位置とした構造を有することを特徴とするペット用糞回収具。
【請求項２】
前記糞収納袋の底辺に十分な強度と長さを有する帯状のつまみとなるものを設け、該帯状のつまみを糞収納袋の内部に配したことを特徴とする請求項１記載のペット用糞回収具。
【発明の詳細な説明】
【技術分野】
【０００１】
本発明は、散歩中においてペットが排出する糞を衛生的に回収処理するための手軽なペット用糞回収具に関するものである。
【背景技術】
【０００２】
従来のペット、特に犬の散歩中における糞処理の方法は、飼い主が回収者としてペットが排泄した糞をハンドスコップ等ですくい取り、別途に用意した袋の内部に入れて処理する方法や、ポリ袋の中に手を入れて糞を掴み取り、その糞を掴んだ状態のまま袋を反転することで袋の内部に収容して持ち帰る方法が一般的に行われているが、糞の付着したハンドスコップ等を持ち歩く事や、糞に袋を介して間接的に触れて処理する行為は、回収者の不快感を伴う大変煩わしいものである。また、いずれの方法も地面に落ちた糞を処理する為、糞により路面を汚染するため衛生面に問題があり、居住環境に悪影響を及ぼしている。
【０００３】
この様な状況に対し、ペットの糞を衛生的に処理する為に、糞に回収者が接触せずに回収する方法が発案されている（例えば、特許文献１、特許文献２参照）。これらの方法は、ペットが排便態勢をとった際に、糞を収容する為に開口した容器や袋をペットの尻下に挿し入れ、その糞が地面に落下する前に受取るようにしたものである。
【特許文献１】特開2001-054332号公報
【特許文献２】特開2003-125666号公報
【発明の開示】
【発明が解決しようとする課題】
【０００４】
しかしながら、特許文献１、特許文献２にみられる様なペットの糞を地面に落下する前に受取り回収する方法では、衛生的な糞の回収が可能ではあるが、ペットの排便態勢である中腰の姿勢になった後に、高さのある糞の回収具を地面との距離が少ない尻下空間に挿し入れると、ペットが異物感を感じ排便行為を中止してしまう。その為、ペットが排便姿勢をとる前に尻下に回収具を設置する必要がある上に、ペットが回収具の使用による排便に慣れるための時間が必要となる。
【０００５】
また、ペットの尻下の狭隘空間に回収具を挿し入れると糞を収容する為の容器や袋の底部が地面と接触し、雨天や路面が汚れている場合においては、泥等の汚れが付着し、汚い印象を周囲に与える上に、注意を怠ると飼い主の足や衣服に汚れが付着するという問題がある。また、汚れた状態の回収具もしくは糞を収容した袋を衛生的に持ち帰るためには別途に収容袋が必要となり、資源の無駄な消費とともに携帯物の増加により身軽なペットの散歩を阻害するという問題もある。
【課題を解決するための手段】
【０００６】
本発明のペット用糞回収具は、ペットの糞を受取るに十分な面積と強度を有する棒状軽量材を素材とする枠状体と、該枠状体の両側の枠を誘導体として平行に前後移動できる十分な強度を有する軽量材を素材としたスライド体と、前記枠状体の後端部に設けた把持部と、前記枠状体に設けた該スライド体を固定する為のスライド体係止具と、前記スライド体に設けた糞収納袋の開口縁を脱着可能に固定するための袋係止具とを有した回収具本体を、該回収具本体よりも大きなサイズで上端を開口した柔軟性と十分な強度を有した袋状の糞収納袋に挿入することで、前記回収具本体の周囲に糞収納袋を装着し、該糞収納袋の側面部を糞の受取り位置とした構造を有することを特徴とするものである。
【０００７】
更に、前記糞収納袋の底辺中央部に糞収納袋の大きさに応じた長さで、十分な強度を有する帯状のつまみとなるものを設け、該帯状のつまみを糞収納袋の内部に配したことをも特徴とするものである。
【発明の効果】
【０００８】
本発明のペット用糞回収具は、回収具本体と糞収納袋により構成されており、使用においては、前記糞収納袋に前記回収具本体を挿入し、回収具本体のスライド体に設けた袋係止具に糞収納袋の開口縁の正面上部を脱着可能に固定するものである。従って、糞の受取り部となる回収具本体の正面に糞収納袋の側面部が位置し、該糞収納袋の側面部を糞の受取り網として利用することで、採糞時における糞回収具の高さは、回収具本体の枠状体の厚みとなり、糞回収具の高さを極めて低くできる。その結果、ペットが糞を行う姿勢である中腰の姿勢において糞回収具を挿し入れたとしても異物感を感じにくく、ペットの排便行為の妨げにならないという効果がある。
【０００９】
更に、本発明のペット用糞回収具は、回収具本体に糞収納袋を装着した状態では、採糞部をはじめ、採糞に関わる部位が糞回収袋にすべて被われており、また、袋係止具を備えたスライド体が前後移動できる構造により、袋係止具に糞収納袋の開口縁の正面上部を係止し、スライド体を枠状体の後部に固定して糞収納袋の側部正面で糞を受取った後に、スライド体を回収具本体の前方に移動させると採糞部の前後幅が狭まり、採糞網として利用している糞収納袋が弛み、採糞部内の糞は自重により回収具本体の枠内側に沈下する。そして、スライド体を更に回収具本体の前方に移動させ採糞部の前後幅を糞収納袋の開口径より小さくし、糞収納袋の開口縁の後面上部を掴み、回収具本体の前部を迂回して引き上げると、糞収納袋の裏表を反転でき、回収具本体の内側に沈下した糞を内包することができる。従って、本発明のペット用糞回収具においては、糞の回収時は当然の事ながら収納に際してもペットの糞と接触する事が無く、衛生的な回収および収納作業が可能となる。また、採糞時に採糞部以外への付着や地面との接触による泥等の付着が発生しても、汚れが付着した糞収納袋の表側は、受取完了後に糞収納袋が裏側に反転され、糞収納袋の内側となる為、持ち帰りに際しても清潔に運搬できるという効果もある。
【００１０】
加えて、本発明のペット用糞回収具は、糞収納袋の内側の底辺中央部に糞収納袋の大きさに応じた長さで糞収納袋と同等以上の強度を有する帯状のつまみとなるものを設けた事により、回収具本体の枠状体の正面側に帯状のつまみの取付け部が配置されるように糞収納袋を回収具本体に装着し、採糞完了後にスライド体を回収具本体の前側に移動させ、採糞部の前後幅が糞収納袋の開口径より小さくなった時に、帯状のつまみの先端を糞収納袋の開口部より引き出し回収具本体に対し垂直方向に引くことで糞収納袋はスライド体に設けた糞収納袋の開口縁の正面上部を固定した袋係止具を軸として旋回移動し、糞収納袋の底部が回収具本体の枠外より枠内に引込まれ、回収具本体の内側への糞の沈下が進行する。そして、糞収納袋の開口縁の後面上部は枠状体を支点にして引っ張られ、回収具本体の前側に移動し、回収具本体の前部に糞収納袋の開口縁の後面上部が到達した時に、糞収納袋の裏表反転が完了し糞の糞収納袋の内側への収容が完了する。その後、かつて糞収納袋の開口縁の後面上部であった箇所をスライド体に設けた袋係止具で追加係止することで糞収納袋の開口部を閉じ、持ち帰りに際して清潔な運搬が可能となる。つまり、糞収納袋の底辺中央部に帯状のつまみとなるものを設け、該帯状のつまみを引く事により、回収具本体の内側への糞による沈下の促進や糞収納袋の裏返し作業の円滑化が図られ、より容易で、スマートで清潔なペットの糞処理が可能となる効果がえられる。
【００１１】
本発明によれば、ペットの散歩中の糞処理において、ペットに違和感を与えない薄さを実現した本糞回収具をペットの尻下に挿入し、糞の地面への落下を阻止することで汚染を防止することができ、更に、糞収納袋の裏表を反転させて糞を内包することを可能とする構造により、採糞時に糞や泥等の付着した糞収納袋の表側は、採糞完了後に糞収納袋の内側となる為、糞の回収後の散歩に際して足や衣服に汚れが付着することがなく清潔に運搬できる。また、糞収納袋の裏返しに際しては、回収者は糞収納袋の開口部もしくは帯状のつまみを触るだけなので散歩中の手の清潔を保つことができ、また、回収具本体は採糞時には糞収納袋に被われ、防護されているため汚れる事が無く手入れも容易である。そして、本発明のペット用糞回収具は、シンプルな構造により小型軽量化が可能で糞の処理者であるペットの飼い主の運搬負担を軽減でき、ペットの散歩中の糞処理を簡単で清潔にスマートに行うことが出来るものである。
【発明を実施するための最良の形態】
【００１２】
本発明を実施するための最良の形態として本発明の糞収納袋に帯状つまみを設けた実施例となる下記の図面に基づいて説明する。
【００１３】
図１は、本発明によるペット用糞回収具の回収具本体の斜視図である。同図に示すように、回収具本体はペットの排泄した糞を受取るに必要な縦２００ｍｍ、幅１００ｍｍ程度の広さで軽量材を素材とし十分な強度を有する丸状又は角に丸みを帯びた角棒体によるフレーム構造の枠状体１と、該枠状体１の左右の枠を誘導レールとして前後移動を可能にしたスライド体２と、該スライド体２に設けた糞収納袋６を仮止めするための袋係止具３と前記枠状体１の後端部に設けた糞回収及び運搬時に躯体を保持するための把持部４と、前記枠状体１の後端部に設けた糞回収及び運搬時にスライド体２を固定する為のスライド体係止具５とを備えている。尚、枠状体１の大きさや形状については、ペットのサイズや種類に応じてペット用糞回収具自体のサイズが変動するため、当図の仕様はその一例であるということは言うまでもない。
【００１４】
図２は、回収具本体のスライド体移動を示した斜視図であり、スライド体２が枠状体１の左右の枠を誘導レールとして前方部に移動した状態を表している。同図に示している、前記枠状体１の後端部に設けた糞回収及び運搬時にスライド体２を固定する為のスライド体係止具５の作動に関しては、手動によるフック構造を想定しているが、バネや押しボタン等の使用による自動作動でのスライド体２の切り離しを行うことが望ましい。また、前記枠状体１の後端部に設けた軽量材を素材とし十分な強度を有する把持部４は、糞回収及び運搬時に躯体を保持するためのものであり、同図においては、把持部４として一定長さのものを用いているが、運搬時及び採糞時の安定性を向上させ、採糞時に回収者が屈む等の窮屈な姿勢を要しない距離を確保する為に、把持部４を伸縮させる構造であることが望ましく、把持部４の伸縮を手動に限らずボタン操作などにより瞬時に伸びることを可能とする機能に加えて、枠状体１と把持部４の取付け角度に関して、採糞時に角度変更を可能とする機能を有することが望ましい。
【００１５】
図面３は本発明の糞収納袋６を示した斜視図である。糞収納袋６は図１の回収具本体よりも大きな横幅で上端部を開口し、柔軟性と十分な強度を有する素材により成形され、糞収納袋６の底辺中央部に糞収納袋６の全長に応じた長さで十分な強度をもつ帯状のつまみ８を設け、糞収納袋６の内側に縦方向に沿って配したものである。糞収納袋６は糞の回収時においては、袋の側面部を採糞網として利用し、糞の収容時では袋の底部を糞の収容場所とする収納袋として利用するものである。尚、糞収納袋６は、糞の回収毎に洗浄を行い繰返し使用する専用袋に限らず、ポリエチレン袋等を用い糞の回収毎に使用済み袋を廃棄して新しい袋と取替える方式によるものでも良いことはいうまでもない。また、帯状のつまみ８は、スライド体の移動に伴う糞の枠状体１の内部への沈下と採糞後の袋の反転とをよりスムーズに行うためのものであり、帯状のつまみ８がない袋を使用したとしても本発明の効果は十分に得られるため、スーパーマーケット等で食品の包装に使用されている汎用のポリ袋を使用しても問題は無く、帯状のつまみ８に相当するものを汎用のポリ袋に粘着テープ等で付け足しても良い。
【００１６】
図４は、本発明の使用状態を示した斜視図である。同図に示すように、回収具本体は糞収納袋６に帯状のつまみ８を枠状体１の正面側に配するように挿入し、スライド体２に付随した袋係止具３に係止受け口９ａを掛けて仮止めし、糞収納袋６を固定して採糞部に糞収納袋６の側面部で網体を形成するよう装着する。また、スライド体２は、スライド体係止具５により枠状体１に仮止めされており、採糞する際には糞の重量を支える支持枠の一部となる。尚、当図では回収具本体の把持部４を除くよう糞収納袋６を装着しているが、把持部４の長尺化または伸縮延長機能による糞回収時の糞の付着防護を図らない場合は、把持部４も糞収納袋６にて被うようにすることが望ましい。
【００１７】
図５は、本発明のスライド体移動による糞の沈下過程を示した斜視図である。採糞後にスライド体２を回収具本体の前方部へ移動させることにより糞収納袋６が弛緩し、糞収納袋６の外側表面上の糞が糞収納袋６の弛緩に伴い枠状体１の内側に自重沈下する。また、糞の重量が軽く自重沈下が進まない場合は、帯状のつまみ８を軽く後方へ引き沈下を促進する。尚、当図ではスライド体２に付随した袋係止具３に糞収納袋６の係止受け口９ａを掛けて仮止めする方式を用いているが、糞収納袋６の係止方法については当図方式に限定するのもではなく、例えば、スライド体２に付随したクリップ状のもので糞収納袋６を挟みこみ仮止め固定する方法等があり、糞の付着防護のために把持部４を糞収納袋６で被う場合や汎用のポリ袋を糞収納袋として使用する場合には、袋の側面に開口部を必要としないため、適しているといえる。
【００１８】
図６は、本発明のつまみ引きによる糞収納袋の反転過程を示した斜視図である。同図に示すように、スライド体２を図５の位置よりも回収具本体の前方部へ更に移動させることにより糞収納袋６の弛緩が進み、糞収納袋６上の糞が枠状体１の内側に更に沈下する。その後、糞収納袋６に設けた帯状のつまみ８を回収具本体に対して垂直に下方に引っ張り、糞収納袋６の底部を枠状体１の枠内側を潜らせて引き出す。その際、糞収納袋６はスライド体２に付随した袋係止具３を中心軸とした旋回運動を行い、糞収納袋６は枠状体１の枠を支点として反転し、糞収納袋６の外側表面は糞を内包した内側に移行して糞収納袋７の裏面が表側となる。尚、帯状のつまみ８を使用しない場合は、スライド体２の前方部への移動により採糞部の前後幅が糞収納袋６の開口径よりも小さくなった時に、糞収納袋６の開口縁の後面上部を掴み、回収具本体の前端部を迂回して引き上げると、糞収納袋の裏表を反転でき、回収具本体の内側に沈下した糞を内包することができる。
【００１９】
図７は、本発明の糞収納袋の反転完了を示した斜視図である。糞収納袋６に設けた帯状のつまみ８を引く事により糞収納袋６の底部が完全に引き出され、糞収納袋６の表裏が反転し糞収納袋７の裏面が表側となり、回収具本体の内側に沈下した糞を内包している。採糞時において糞収納袋６の側面部に位置していた糞は、帯状のつまみ８の引っ張りによる糞収納袋６の底部の移動に伴い、糞収納袋６の側面から底部に転がり移動をする。
【００２０】
図８は、本発明の糞収納後の状態を示した斜視図である。糞収納袋６は完全に反転し、かつての裏側が表側となり、表側で採取した糞は糞収納袋７の内部に収容されている。そして、スライド体２に付随した袋係止具３に糞収納袋７に設けた係止受け口９ｂを掛けて仮止めし糞収納袋７の開口部を閉じた後、回収具本体の前方部に移動しているスライド体２を枠状体１の後端部まで移動させ、スライド体係止具５にて固定し運搬姿勢を整える。尚、帯状のつまみ８は、袋係止具３により仮止めをするか、糞収納袋７の中間部に巻きつけ結び付けるかして運搬の邪魔にならないようにすることが必要である。
【図面の簡単な説明】
【００２１】
【図１】本発明の回収具本体を示した斜視図である。
【図２】本発明のスライド体移動を示した斜視図である。
【図３】本発明の糞収納袋を示した斜視図である。
【図４】本発明の使用状態を示した斜視図である。
【図５】本発明のスライド体移動による糞の沈下過程を示した斜視図である。
【図６】本発明のつまみ引きによる糞収納袋の反転過程を示した斜視図である。
【図７】本発明の糞収納袋の反転完了を示した斜視図である。
【図８】本発明の糞収納後の状態を示した斜視図である。
【符号の説明】
【００２２】
１  枠状体
２  スライド体
３  袋係止具
４  把持部
５  スライド体係止具
６  糞収納袋  表
７  糞収納袋  裏
８  つまみ
９ａ・９ｂ  係止受け口  
10  糞
【図１】
2005087038.tif 000003
【図２】
2005087038.tif 000004
【図３】
2005087038.tif 000005
【図４】
2005087038.tif 000006
【図５】
2005087038.tif 000007
【図６】
2005087038.tif 000008
【図７】
2005087038.tif 000009
【図８】
2005087038.tif 000010